(57)【要約】【課題】真珠等の玉を複数個、直線状に連ねて形成されるネックレスとして、装着時の美観を損うことなく、製造時における労力や時間を軽減し、かつ玉の状態によって使用できる玉が制限されることの少ないものを提供する。【解決手段】複数個の玉を一列に連結してなるネックレスにおいて、前記複数個の玉を、その直径が前記列の一端から他端に向けて次第に増大する順序で、配列する。【選択図】図３
0003129153.tif 000002
【実用新案登録請求の範囲】
【請求項１】
複数個の玉を一列に連結してなるネックレスであって、
前記複数個の玉が、その直径が前記列の一端から他端に向けて次第に増大する順序で、配列されることを特徴とするネックレス。
【請求項２】
前記玉が真珠である請求項１記載のネックレス。
【考案の詳細な説明】
【技術分野】
【０００１】
本考案は、真珠等の玉を複数個、一列に連ねて形成されるネックレスに関するものである。
【背景技術】
【０００２】
真珠等の玉を複数個、一列に連ねて形成されるネックレスは、その一端と他端とを接続し環にした状態で首に掛けることによって使用に供する。
【０００３】
そのような装着時における美観が優れたものとなるよう、ひとつのネックレスを構成する複数個の玉は、その径、形状や色彩を考慮して整然と配列する必要がある。
【０００４】
そのために、従来は、複数個の玉として見かけが同一のもののみを選択して使用したり、あるいは、装着時の環のなかで最下位に位置する玉に最大径のものを使用し、さらに、その左右から両端方向に向けて次第に径を減少させ、かつ装着時に径、形状や色彩等の点で左右対称に見えるように配慮して、玉を配列したりする必要があった。しかしこの場合には、ネックレスの製造時に玉を配列するのに多くの労力と時間がかかり、さらには玉の状態によっては使用できない玉があるという問題があった。
【考案の開示】
【考案が解決しようとする課題】
【０００５】
本考案は、上記現状に鑑み、真珠等の玉を複数個、直線状に連ねて形成されるネックレスにおいて、装着時の美観を損うことなく、製造時における労力や時間を軽減し、かつ玉の状態によって使用できる玉が制限されることの少ないネックレスを提供することを課題とするものである。
【課題を解決するための手段】
【０００６】
本考案のネックレスは、複数個の玉を一列に連結してなるネックレスであって、
前記複数個の玉が、その直径が前記列の一端から他端に向けて次第に増大する順序で、配列されることを特徴とする。
【０００７】
前記玉は、真珠であることが好ましい。
【考案の効果】
【０００８】
本考案のネックレスは、上述の構成よりなるので、装着時の美観を損なうことなく、製造時における労力や時間を軽減することができ、かつ、玉の状態によって使用できる玉が制限される可能性を低減することができる。
【０００９】
また、本考案のネックレスは、従来のネックレスにはない斬新な美観を提供することができる。
【考案を実施するための最良の形態】
【００１０】
以下に、本考案の具体的な実施態様を図面を参照しつつ詳細に説明するが、本考案はこれら実施態様又は図面に限定されるものではない。
【００１１】
ここで、図１は、本考案の一実施形態によるネックレスの、両端が未接続である状態を示す平面図であり、図２は、図１に示したネックレスの左端部を拡大した平面図であり、図３は、図１に示したネックレスの、両端を接続した状態を示す平面図である。
【００１２】
本考案のネックレスは、複数個の玉１を一列に連結してなるネックレスである。
【００１３】
玉としてはネックレスに適用できるものであれば特に限定されず、例えば、真珠、宝石、ガラス玉等が挙げられるが、本発明においては、その製造にあたって径、色彩、形状等を厳密に制御することが困難で、さらにネックレスに用いるものとして一般的である、真珠を使用することが好ましい。
【００１４】
玉同士の連結方法は特に限定されないが、通常、それぞれの玉に貫通孔を設け、その貫通孔に紐状体を挿通することによって行う。
【００１５】
紐状体としては特に限定されないが、例えば、綿糸、絹糸、ナイロン糸、金属製ワイヤー等が挙げられる。
【００１６】
隣接する２つの玉は密接している状態であってもよいが、ネックレスとしての柔軟性や伸縮性を確保するために、２つの玉間において紐状体で結び目を設けることによって所定の間隔を空けてもよいし、同じ目的で２つの玉間に間隔保持部材を挟持してもよい。これらによって、美観の変化を得ることも可能になる。
【００１７】
本発明のネックレスに用いる玉の個数は特に限定されないが、一般的な個数、具体的には数十個といった程度でよい。
【００１８】
本発明のネックレスでは、これを構成する複数個の玉の配列において、玉の直径が列の一端から他端に向けて次第に増大する順序で配列することを特徴とする。従来のネックレスでは、一端から次第に径を増大させ、その中央付近で最大径のものを配置し、さらに他端に向けて次第に径を減少させるような配列となっている。
【００１９】
本発明において、玉の直径が列の一端から他端に向けて次第に増大する順序とは、複数個の玉が連なった列において、複数個の玉の径が、一方向に向けて増大するような順序を意味する。これはその配列を全体的に観察した場合に、一方向に増大する傾向があるものであればよく、例えば、そのなかには隣接する玉同士のあいだで径が同じであったり、装着時の全体的な美観ではまったく問題にならない程度に径が減少したりする場合等が一部含まれていてもよい。図１では列の左端から右端に向けて玉の径が増大するように、複数個の玉が配列されている。
【００２０】
本発明のネックレスでは上述の順序で玉を配列するので、図３から分かるとおり、装着時には左右は対称でなくなる。したがって、左右を対称としていた従来のネックレスと比較すると、本発明では、美観上、左右の対称性はあまり問題にならなくなる。従来のネックレスでは玉の径のほか、玉の形状や色彩に関しても左右の対称性を注意深く観察しつつ厳密に玉を配列する必要があったが、本発明のネックレスではそのような必要性が低減する。このため、ネックレス製造時の玉配列に必要であった労力や時間を軽減することが可能になる。
【００２１】
また、従来のネックレスでは、左右の対称性を考慮する必要から、形状や色彩が他のものと大きく異なる玉についてはそのネックレスへの適用ができない場合があったが、本発明のネックレスでは、左右対称性の厳密性が問われなくなることからそのような制限が生じることは少なくなる。ただし、本発明においても、装着時の美観性を配慮して、玉の形状や色彩を考慮にいれながら玉を配列したほうが好ましい。
【００２２】
さらには、従来のネックレスにおいては、装着時の左右の対称性から美観の均一化を免れ得なかったが、本発明のネックレスでは、左右が対称ではないため、従来にはない斬新な美観を提供することができる。また、径の増大幅等を調整したりすること等の工夫によって美観を種々変化させることも可能である。
【００２３】
図１の態様では、複数個の玉１の列においてその一端に留め具２を設けている。留め具とは、ネックレスの両端を接続し環状にすることで、首の装着を可能とするものであり、図１に示した留め具は、一端にのみ設け、他端側の玉同士の間隙に引っかけるようにして両端の接続を可能にするものである。本発明では留め具の構造は特に限定されず、例えば、両端に設けてその留め具同士のかみ合わせ等によって両端の接続を可能にするようなものも挙げられる。
【図面の簡単な説明】
【００２４】
【図１】本考案の一実施形態によるネックレスの、両端が未接続である状態を示す平面図
【図２】図１に示したネックレスの左端部を拡大した平面図
【図３】図１に示したネックレスの、両端を接続した状態を示す平面図
【符号の説明】
【００２５】
１  玉
２  留め具
【図１】
0003129153.tif 000003
【図２】
0003129153.tif 000004
【図３】
0003129153.tif 000005